(57)【要約】      （修正有）【課題】    机の上や、電話機の台のところで、メモや予定表としても使いやすいもので、何年分も保存しておいて、過去を振り返って見るのに、見やすく使いやすい、日記としての役割をも果たすものにつくる。【解決手段】  カレンダーを差し挟む、入れ替えの簡単なカレンダースタンドを作り。カレンダーを１月から６月分までを片面に、７月から１２月までをもう一方の面に印刷して、６枚に折り重ねてカレンダースタンドに差して立てて使用する。【選択図】        図１
2006110968.tif 000002
【特許請求の範囲】
【請求項１】
長方形の台板の手前側に、カレンダーを立てるための２枚の板を、前の方は低く、後ろ側を高くして、２枚の板を後方に傾斜させてカレンダーを立てるためのスタンドを作り、カレンダーを上からに差して使用する。一枚の用紙の両面に１２か月分の暦を印刷するメモ用のカレンダー。
【請求項２】
前記メモ用のカレンダーは、紙を横長に用いて、用紙の表と裏の両面に、暦を６か月分づつ１２か月分印刷する請求項１のメモ用のカレンダー。
【請求項３】
前記メモ用のカレンダーは、１面に１月分から６月分までの前半期分の暦を印刷し、もう１面の方に７月分から１２月分までの後半期分の暦を、横に１列に並ぶように印刷する、請求項１のメモ用のカレンダー。
【請求項４】
暦を６か月分づつ、横に１列に並べて印刷するメモ用のカレンダーは、一月毎６枚に折り重ねて使用する、請求項１のメモ用のカレンダー。
【請求項５】
６枚に折り重ねたメモ用のカレンダーの当月分を一番上にして、カレンダーを立てるために作られたスタンドに上から差して使う。電話台や机の上にて使用する、請求項１のメモ用のカレンダー。
【発明の詳細な説明】
【発明の詳細な説明】
【技術分野】
【０００１】  本発明は、机の上や、電話機の台のところで使用するのに利用しやすいものにするため、カレンダーを上から差しやすい、カレンダーを立てるためのスタンドを作り。暦を１枚の紙の表と裏に６か月分づつメモとしても書き込みやすい形に印刷したものを６枚に折り重ねて、カレンダーを立てるために作ったスタンドに差し込んで使用するものであり。月が替わるごとに前後に折り返して使い、また、当月以外の予定を書き込む時なども、カレンダーをカレンダー用のスタンドから抜いて外し書き込みをした後で、６枚に折り重ねてスタンドに上から差して立てるかたちでメモ用のカレンダーとして使う。そして過去の出来事を振り返る時には、スタンドからカレンダーを引き抜いて、長く一枚に開いて、半年づつ表と裏に目を通すだけで、一年分の出来事をすばやく目を通すことができます。スタンドを外して、何年分もまとめてとって置く場合には，かさ張らず日記としても保存しておくのに適したものである。
【背景技術】
【０００２】  従来の机の上や電話機の台のところで使う、予定を書き込むためのメモ用のカレンダーは、日めくり式のもの、その他にノートのように片側が綴じてある月めくりものや、透明のケースに入っているものがあるが、日めくりのものは何日もめくらずにおいてある場合が多く、予定を書き込むとき何枚もめくって予定日を開いてから書き込まなければならなかった。また予定を見る時も、その日を探して開くことになり不便であった。【０００３】  また、従来の月めくりのカレンダーで用紙の片側で綴じてあるものにおいても、数か月先の予定を書き込みするときには、めくる作業に不便な点があった。その他に、ケースに入れてあって月ごとに差し替える形式のカレンダーにおいては、当月以外の書き込みをする時には、その都度引き抜いて書き込み、その後で、カレンダーを差し込まなければならないため、差し込むのに不便であった。また日記のように保存しておいて過去の出来事を見る場合には、一枚一枚めくらなければならず。また、ケースに入れられているカレンダーの場合、ケースより引き抜いて一枚ずつ見ることになり、手間がかかった。またノートのように片側が綴じてあるカレンダーも、何枚かめくって目的のところを見つけ出さなければならなかった。
【発明が解決しようとする課題】
【０００４】  卓上用に作られたメモ用のカレンダーを月毎に入れ替えたり、差し替えたりする作業を容易にすることにより、数か月先の予定の書き込みをしたり、予定日を開けて見る作業を簡単に出来るようにする。
【０００５】  メモ用のカレンダーとして、一年間使った後で、過去の出来事を振り返る場合。一枚、一枚、月毎にカレンダーをめくらなくても、一年分の出来事が直ぐに一覧できるように作る。
【課題を解決するための手段】
【０００６】  一つの面に、１月から６月分まで、各月同じ大きさで、日付けの数字を左上に小さめに印刷して。予定を書き込める部分の余地を持った形にして、メモ用のカレンダーを横長に１列に並べて印刷する。
【０００７】  また、もう一方の面には、６月の裏には７月、１月の裏には１２月が来るように、横長に１列に並べて印刷する。
【０００８】  そして、６か月分づつ表と裏に印刷されたカレンダーを月毎に６枚に重ねて折る。
【０００９】  さらに、６枚に折り重ねたメモ用のカレンダーを差して立てるためのカレンダースタンドを作っておく。
【発明実施の形態】
【００１０】発明実施の形態を実施例にもとづき図面を参照して説明する。
図１、３において、メモ用のカレンダーを立てて差すためのメモ用のカレンダースタンドは、塩化ビニール樹脂のようなものから透き通ったもので作り。長方形の台板に、カレンダーを差して立てるための２枚ある板の手前を低く、後ろを高くして。カレンダースタンドの横幅は、６枚に折り重ねたカレンダーの巾よりも短めにつくる。
【００１１】  図２に示される実施例では、メモ用のカレンダースタンドは、６枚に折り重ねたカレンダーをスタンドに差し込むときに、差しやすいように、カレンダーを差して立てるための２枚の板を、６枚に折り重ねたカレンダーの厚みより少し間隔をあけて、２枚を後方に傾けて立ててつくる。
【００１２】  図２は、カレンダーを差して立てるための２枚の板は、手前を低く、後ろを高くして、２枚を後方に傾けて立ててつくる。
【００１３】  図２、３は、カレンダーを差して立てる後ろ側の板は、カレンダーの高さの半分以上高くなるようにつくる。
【００１４】  図４に示される実施例では、カレンダー用紙の一方の面に、前半期分の１月分から６月分までを並べて印刷し、６月分の裏側に７月分を印刷して、１月分の裏側が１２月分になるように、後半期の６か月分並べて印刷する。
【００１５】  図５のカレンダーを折るに当たって、３月、４月分の間を半分に折った後で３，４月分を同じ長さに折る。そして、２月分および５月分は３，４月分より少し短めに折る。さらに、１月と６月分は、２月と５月分の長さより少し短くなるようにする。
【００１６】  図１に示される実施例では、６枚に重ねて折った、メモ用のカレンダーを専用に作ったスタンドに差して立てて、電話台や机の上にて使用する。
【発明の効果】
【００１７】  本発明は、上述のとおり構成されているので、次に記載されるような効果を奏する。
【００１８】  請求項１の、一枚の細長い用紙の両面に前半期の６か月分と、後半期の６か月分の、１２か月分を分けて印刷するメモ用のカレンダーにおいて、月替わりのめくりや、別月の予定を書き込むときなど、カレンダースタンドから６枚に折り重ねてあるカレンダーを引き抜いて、翌月をめくるか、または、別月の予定の書き込みをした後に、折ってカレンダースタンドに差して立てるだけなので作業が容易になる。
【００１９】  そして、メモ用のカレンダーは、一枚の用紙の両面に前半期分と後半期の分の６か月分づつ印刷してあるので、同じ厚さの紙を使って作った場合には、通常の半分の厚さになるので、カレンダースタンドを外しておいて、メモとして何年間分も保存しておく場合には、かさ張らないので、小さな箱に何年分も過去の出来事の資料として保存しておくのに都合が良い。
【００２０】  また、メモ用のカレンダーは、長い紙の一面に１月から６月までを、もう一面に７月から１２月までを印刷してあるので、長い紙を開いて一面を見たら、裏返して、もう一面を見るだけで、一年の予定と出来事を直ぐに見ることが出来る。
【００２１】  さらに、メモ用のカレンダーは６枚重ねに折るとき、３月と４月分は２月と５月よりも少し長めに折り、１月と６月分は２月と５月分より少し短く折ってあるため、月替わりでカレンダーを差し替えるときには、短い方が内側に折れ込むように重ねることにより、一枚の紙であっても、６枚にカレンダーを重ねるとき、何月を一番上に持ってきても、折りたたみ方次第で、カレンダーがふくらんでしまうことを無くする事が出来る。
【００２２】  そして、メモ用のカレンダーは一枚の長い用紙の表面に一年の前半期６か月分を印刷し、裏面に後半期の６か月分を印刷してあることにより、一年の出来事を振り返って見るとき、一月毎に一枚一枚めくらなくても、カレンダーを一面全部開くことにより、半年分づつすばやく目を通すことが出来るので，何年分も一箇所に保存して置くことにより、過去にあったあので出来事がいつのことであったのかを調べる場合、即座に簡単に調べることが出来る。
【００２３】  また、カレンダーのスタンドは何年でも使えるものなので。一つ持っていれば、あとは、毎年カレンダーだけ新しく変えればよいので、廃棄物も出なくて、経済的である。
【００２４】  本発明の効果は、以上に説明したことにより。メモ用のカレンダーとして使うにおいて、両面に２か月分印刷するため、厚さが６枚分で済むので薄くなるのと、カレンダースタンドに差して利用することにより、月毎の入れ替えや書き込みが簡単に出来る。そして、このメモ用のカレンダーは一年分を即座に一覧することが出来るので、カレンダースタンドを外して、小さな箱にでも入れて何年分も保管しておくと、過去の出来事を調べるのにカレンダーを広げて裏と表を、見るだけで済むため大変便利に使うことができる。
【図面の簡単な説明】
【図１】  メモ用のカレンダーの実施例を示す正面図である。
【図２】  メモ用のカレンダーの実施例を示す側面図である。
【図３】  メモ用のカレンダーに使用するカレンダースタンドの正面図である。
【図４】  メモ用のカレンダーの印刷配置図である。
【符号の説明】
１  カレンダー
２  カレンダースタンド
３  カレンダースタンドの手前の板
４  カレンダースタンドの後ろの板
５  カレンダースタンドの台板
６  カレンダーのＡ面上半期分の配置
７  カレンダーのＢ面下半期分の配置
2006110968.tif 000003
2006110968.tif 000004
【手続補正書】
【提出日】平成16年12月20日(2004.12.20)
【手続補正１】
【補正対象書類名】図面
【補正対象項目名】全図
【補正方法】変更
【補正の内容】
【図１】
2006110968.tif 000005
【図２】
2006110968.tif 000006
【図３】
2006110968.tif 000007
【図４】
2006110968.tif 000008
【図５】
2006110968.tif 000009